(57)【要約】【課題】携帯情報端末がクレードルを介してホストコンピュータないしネットワークに接続され、携帯情報端末とホストないしネットワークに接続された他のコンピュータとの間で指示された処理が実行される情報処理システムで、前記処理の切り替えをクレードルで簡単に行えるようにする。【解決手段】クレードル２に設けられたモード切り替えスイッチ２０６の２種類の入力信号に応じて、端末１とホストコンピュータ３の間で実行すべき処理に関して、メール送信を行なうメールモードと、指示された処理を行なうオートモードに切り替えられる。また、クレードル２に設けられた端末１の（ａ），（ｂ）の装着方向を検出するスイッチの２種類の検出信号に応じて、同期処理に関して端末（ＰＤＡ）１の情報を優先するモードと、ホスト（ＰＣ）３の情報を優先するモードに切り替えられる。【選択図】　　　　図２
2004086641.tif 000002
【特許請求の範囲】
【請求項１】
携帯情報端末が該端末を装着する携帯情報端末用クレードルを介してホストのコンピュータないしネットワークに接続され、前記携帯情報端末と前記ホストのコンピュータないし前記ネットワークに接続された他のコンピュータとの間で指示された処理が実行される情報処理システムにおいて、
前記携帯情報端末と前記コンピュータのいずれかとの間で実行すべき処理を複数種類の内で切り替えて指示するための複数種類の信号を入力する信号入力手段が前記クレードルに設けられ、該信号入力手段により入力される複数種類の信号のそれぞれに応じて、前記携帯情報端末と前記コンピュータのいずれかとの間で実行すべき処理が複数種類の内で切り替えて決定されることを特徴とする情報処理システム。
【請求項２】
前記携帯情報端末としてＰＤＡ、携帯電話、デジタルカメラ、携帯オーディオプレイヤー、または携帯ムービープレイヤーを用いることを特徴とする請求項１に記載の情報処理システム。
【請求項３】
前記クレードルに前記信号入力手段として手動で操作されるスイッチが設けられ、該スイッチの操作で入力される信号に応じて、前記携帯情報端末と前記コンピュータのいずれかとの間で実行すべき処理が切り替えて決定されることを特徴とする請求項１または２に記載の情報処理システム。
【請求項４】
前記クレードルは、前記携帯情報端末を複数の方向に装着可能であり、前記信号入力手段として、クレードルに装着された携帯情報端末の装着方向を検出する検出手段が設けられ、該検出手段から入力される検出信号に応じて、前記携帯情報端末と前記コンピュータのいずれかとの間で実行すべき処理が切り替えて決定されることを特徴とする請求項１から３までのいずれか１項に記載の情報処理システム。
【請求項５】
前記クレードルは、前記携帯情報端末を装着する装着部がクレードル本体に対して角度を変更可能に取り付けられており、前記信号入力手段として、前記クレードル本体に対する前記装着部の角度を検出する検出手段が設けられ、該検出手段から入力される検出信号に応じて、前記携帯情報端末と前記コンピュータのいずれかとの間で実行すべき処理が切り替えて決定されることを特徴とする請求項１から３までのいずれか１項に記載の情報処理システム。
【請求項６】
前記クレードルに、前記信号入力手段により入力された信号により指示される処理の内容をユーザーに報知するために表示する表示手段が設けられたことを特徴とする請求項１から５までのいずれか１項に記載の情報処理システム。
【請求項７】
前記クレードルに、前記信号入力手段により入力された信号により指示される処理の内容を前記携帯情報端末、ホストのコンピュータ、及び他のコンピュータの少なくとも１つに通知する通知手段が設けられ、
前記携帯情報端末、ホストのコンピュータ、及び他のコンピュータの少なくとも１つに、前記クレードルの通知手段から通知された処理の内容をユーザーに報知するために表示する表示手段が設けられたことを特徴とする請求項１から６までのいずれか１項に記載の情報処理システム。
【請求項８】
前記クレードルに対する前記携帯情報端末の装着をトリガーとして、前記クレードルの信号入力手段から入力される信号に応じた前記実行すべき処理の決定動作が実行されることを特徴とする請求項１から７までのいずれか１項に記載の情報処理システム。
【請求項９】
前記クレードルの信号入力手段により入力される複数種類の信号のそれぞれに対して該信号により指示される処理の内容を可変に設定する設定手段と、該設定手段により設定された前記信号のそれぞれに対する処理内容の設定情報を記憶する記憶手段とが前記クレードル、携帯情報端末、ホストのコンピュータ、及び他のコンピュータの少なくとも１つに設けられたことを特徴とする請求項１から８までのいずれか１項に記載の情報処理システム。
【請求項１０】
前記複数種類の処理として、電話帳データの送受信、電子メールの送受信、同期処理、ウェブページの巡回、音楽データの送受信、画像データの送受信の少なくとも一部を含むことを特徴とする請求項１から９までのいずれか１項に記載の情報処理システム。
【請求項１１】
携帯情報端末が該端末を装着する携帯情報端末用クレードルを介してホストのコンピュータないしネットワークに接続され、前記携帯情報端末と前記ホストのコンピュータないし前記ネットワークに接続された他のコンピュータとの間で指示された処理が実行される情報処理システムの制御方法において、
前記クレードルに設けられた信号入力手段により入力される複数種類の入力信号のそれぞれに応じて、前記携帯情報端末と前記コンピュータのいずれかとの間で実行すべき処理を複数種類の内で切り替えて決定するように制御することを特徴とする情報処理システムの制御方法。
【請求項１２】
携帯情報端末が該端末を装着する携帯情報端末用クレードルを介してホストのコンピュータないしネットワークに接続され、前記携帯情報端末と前記ホストのコンピュータないし前記ネットワークに接続された他のコンピュータとの間で指示された処理が実行される情報処理システムの制御プログラムにおいて、
前記クレードルに設けられた信号入力手段により入力される複数種類の入力信号のそれぞれに応じて、前記携帯情報端末と前記コンピュータのいずれかとの間で実行すべき処理を複数種類の内で切り替えて決定するように制御する制御ステップを含むことを特徴とする情報処理システムの制御プログラム。
【請求項１３】
携帯情報端末を装着してホストのコンピュータないしネットワークに接続する携帯情報端末用クレードルにおいて、
前記携帯情報端末と前記コンピュータのいずれかとの間で実行すべき処理を複数種類の内で切り替えて指示するための複数種類の信号を入力する信号入力手段を有することを特徴とする携帯情報端末用クレードル。
【請求項１４】
前記信号入力手段として手動で操作されるスイッチが設けられたことを特徴とする請求項１３に記載の携帯情報端末用クレードル。
【請求項１５】
前記携帯情報端末を複数の方向に装着可能であり、前記信号入力手段として、クレードルに装着された携帯情報端末の装着方向を検出する検出手段が設けられたことを特徴とする請求項１３または１４に記載の携帯情報端末用クレードル。
【請求項１６】
前記携帯情報端末を装着する装着部がクレードル本体に対して角度を変更可能に取り付けられており、前記信号入力手段として、前記クレードル本体に対する前記装着部の角度を検出する検出手段が設けられたことを特徴とする請求項１３または１４に記載の携帯情報端末用クレードル。
【請求項１７】
前記信号入力手段により入力された信号により指示される処理の内容をユーザーに報知するために表示する表示手段を有することを特徴とする請求項１３から１６までのいずれか１項に記載の携帯情報端末用クレードル。
【請求項１８】
前記信号入力手段により入力された信号により指示される処理の内容を前記携帯情報端末、ホストのコンピュータ、及び他のコンピュータの少なくとも１つに通知する通知手段を有することを特徴とする請求項１３から１７までのいずれか１項に記載の携帯情報端末用クレードル。
【発明の詳細な説明】
【０００１】
【発明の属する技術分野】
本発明は、携帯情報端末が該端末をセットする携帯情報端末用クレードルを介してホストのコンピュータないしネットワークに接続され、携帯情報端末とホストのコンピュータないしネットワークに接続された他のコンピュータとの間で指示された処理が実行される情報処理システム、その制御方法、その制御プログラム、及び携帯情報端末用クレードルに関するものである。
【０００２】
【従来の技術】
ＰＤＡ（Ｐｅｒｓｏｎａｌ　Ｄｉｇｉｔａｌ　Ａｓｓｉｓｔａｎｔ）などの携帯情報端末をその上に装着することにより、その携帯情報端末に電源を供給（充電）したり、その携帯情報端末をホストコンピュータやネットワークに接続したりする機能を有する携帯情報端末用クレードル（以下、クレードルと略す）が知られている（例えば、特許文献１参照）。このクレードルを介して接続された携帯情報端末とホストコンピュータないしネットワークに接続されたサーバやクライアントなどの他のコンピュータとの間で例えば電話帳データなどのデータの送受信、互いのデータを同じにする同期、電子メールの送受信、及びウェブページの巡回などの処理がなされる。
【０００３】
従来のクレードルを介して携帯情報端末とホストコンピュータないし他のコンピュータが接続される情報処理システムでは、接続された携帯情報端末とホストコンピュータないし他のコンピュータとの間で何れの処理を行なうかは、携帯情報端末ないしコンピュータから入力される指示に従って決定されるようになっていた。
【０００４】
【特許文献１】
特開２００１−２２７０５号公報（段落番号００１１〜００１８、図１，２）
【０００５】
【発明が解決しようとする課題】
しかしながら、上記のような従来の情報処理システムでは、携帯情報端末とホストや他のコンピュータとの間で実行可能な処理が多種多様に切り替え可能になるにつれて、携帯情報端末ないしコンピュータにおいて、実行すべき処理を切り替えて指示するために煩雑な設定の操作をしなければならないという問題があった。また、その設定の操作を間違えると、例えば保存しようと意図していたデータを破壊してしまうなどの問題が生じていた。
【０００６】
そこで、本発明の課題は、この種の情報処理システムにおいて、クレードルを介して接続される携帯情報端末とホストないし他のコンピュータとの間で実行すべき処理の切り替えをクレードルにおいて簡単に行えるようにすることにある。
【０００７】
【課題を解決するための手段】
上記の課題を解決するため、本発明によれば、
携帯情報端末が該端末を装着する携帯情報端末用クレードルを介してホストのコンピュータないしネットワークに接続され、前記携帯情報端末と前記ホストのコンピュータないし前記ネットワークに接続された他のコンピュータとの間で指示された処理が実行される情報処理システムにおいて、
前記携帯情報端末と前記コンピュータのいずれかとの間で実行すべき処理を複数種類の内で切り替えて指示するための複数種類の信号を入力する信号入力手段が前記クレードルに設けられ、該信号入力手段により入力される複数種類の信号のそれぞれに応じて、前記携帯情報端末と前記コンピュータのいずれかとの間で実行すべき処理が複数種類の内で切り替えて決定される構成を採用した。
【０００８】
また、これに対応する情報処理システムの制御方法、及び情報処理システムの制御プログラムの構成を採用した。
【０００９】
【発明の実施の形態】
以下、図を参照して本発明の実施の形態を説明する。なお、ここで示す実施形態の情報処理システムでは、携帯情報端末としてＰＤＡを用いるものとするが、携帯情報端末として、携帯電話、デジタルカメラ、携帯オーディオプレイヤー、或いは携帯ムービープレイヤーを用いてもよい。携帯電話を用いた場合は、電話帳やメールのデータのバックアップなどの処理を行い、デジタルカメラを用いた場合は、編集した画像データをカメラに戻す処理などを行うことが出来る。また携帯オーディオプレイヤーを用いた場合は音楽データの送受信処理などを行うことが出来る。また、携帯ムービープレイヤーを用いた場合は画像及び音声データの送受信処理などを行うことが出来る。
【００１０】
［第１の実施形態］
本発明の第１の実施形態を図１〜図５により説明する。まず、図１は第１の実施形態による情報処理システム全体の構成及び接続関係を示している。
【００１１】
図１に示す情報処理システムでは、携帯情報端末用クレードル（以下でもクレードルと略す）２がイーサネット（商標名）アダプタなどの接続部２１６によりネットワーク４に接続され、ＵＳＢ，シリアル，ブルートゥースなどの接続部２１７によりホストコンピュータ３に接続される。ネットワーク４にはサーバもしくはクライアントのコンピュータ（以下、サーバもしくはクライアントと略す）５が接続されている。そして、携帯情報端末（ＰＤＡ）１をクレードル２に装着することにより、携帯情報端末１がクレードル２のコネクタ２１５と電源コネクタ２１２に接続され、商用電源６からクレードル２のＡＣアダプタ２１１と電源コネクタ２１２を介して携帯情報端末１に電力が供給されるとともに、携帯情報端末１がクレードル２を介してホストコンピュータ３とネットワーク４に接続され、ネットワーク４を介してサーバもしくはクライアント５に接続される。
【００１２】
このようにクレードル２を介して接続された携帯情報端末１とホストコンピュータ３ないしはサーバもしくはクライアント５との間で指定された処理、例えば電子メールの送受信、同期処理、ウェブページの巡回、電話帳データの送受信などが行なわれる。
【００１３】
携帯情報端末１、クレードル２、ホストコンピュータ３、サーバもしくはクライアント５には、それぞれ装置全体の制御および各種演算処理や信号処理を行なうＣＰＵ１０１，２０１，３０１，５０１と、操作者（ユーザー）が情報を入力するためのキーボードやスイッチなど（クレードル２ではスイッチのみ）の入力手段１０２，２０２，３０２，５０２と、メモリやハードディスク装置など（携帯情報端末１とクレードル２ではメモリのみ）の情報を記憶する記憶手段１０３，２０３，３０３，５０３と、ユーザーに対して情報を報知するために表示する液晶ディスプレイやＬＥＤなどの表示手段１０４，２０４，３０４，５０４が設けられている。記憶手段１０３，２０３，３０３，５０３は、ＣＰＵ１０１，２０１，３０１，５０１の制御プログラムや他のデータの格納およびワークエリアなどとして用いられる。
【００１４】
また、クレードル２には、携帯情報端末１、ホストコンピュータ３、ないしネットワーク４（サーバもしくはクライアント５）との間でデータ通信を行なう通信手段２０５が設けられている。
【００１５】
さらに、クレードル２には、携帯情報端末２とホストコンピュータ３ないしサーバもしくはクライアント５との間で実行すべき処理を複数種類の内で切り替えて指示するための複数種類の信号を入力する信号入力手段として、モード切り替えスイッチ２０６と装着方向の検出スイッチ２０７が設けられている。
【００１６】
モード切り替えスイッチ２０６は、入力手段２０２の一部であってユーザーの手動で操作される切り替えスイッチとして、例えば図２に示すようにクレードル２の本体の側面に設けられ、このスイッチの切り替えによる２種類の入力信号により、携帯情報端末２とホストコンピュータ３ないしサーバもしくはクライアント５との間で実行すべき処理のモードが２種類に切り替えられる。ここでは、その２種類のモードは、電子メールの送信処理を行なうメールモードと、指示された処理を実行するオートモードに設定されているものとする。
【００１７】
また、装着方向の検出スイッチ２０７は、クレードル２に対する携帯情報端末１の装着方向を検出するためのスイッチである。すなわち、図２に示すように、携帯情報端末１はクレードル２の本体上面に形成された差込口２０８に下部を差し込んでクレードル２に装着されるが、図２の（ｂ）のように、携帯情報端末１の表示手段（液晶表示器など）１０４が設けられた表側を前にした装着方向と、（ａ）のように裏側を前にした装着方向に装着できるようになっており、この２つの装着方向を検出スイッチ２０７により検出する。
【００１８】
このために、検出スイッチ２０７は、クレードル２の差込口２０８部分の上面図と縦断面図である図３（ａ），（ｂ）に示すように、クレードル２の差込口２０８内において、携帯情報端末１を接続するためのコネクタ２１５の片側（図中で左側）の近傍に設けられている。コネクタ２１５は差込口２０８の中心に対して左右対称となっている。検出スイッチ２０７の高さはコネクタ２１５より高くなっている。また、図３（ｃ）に示すように、携帯情報端末１の表示手段１０４が設けられた表側に向かって見て左下の角部には切り欠き１０５が形成されている。
【００１９】
これにより、図２（ｂ）のように携帯情報端末１を表側を前にして差込口２０８に差し込んでコネクタ２１５に接続しクレードル２に装着したときは、切り欠き１０５が検出スイッチ２０７側に位置するため、検出スイッチ２０７は押されずオフしており、その信号が入力される。また図２（ａ）のように携帯情報端末１を裏側を前にして差込口２０８に差し込んでクレードル２に装着したときは、切り欠き１０５が検出スイッチ２０７と反対側になるため、検出スイッチ２０７が携帯情報端末１の下端部に押されてオンし、その信号が入力される。このようにして携帯情報端末１の装着方向を検出スイッチ２０７により検出し、その検出信号により装着方向を判別することができる。なお、この装着方向の検出手段の構成はこれに限らず、例えばフォトカプラにより光学的に検出してもよい。
【００２０】
また、検出スイッチ２０７のオンとオフの検出信号のそれぞれにより指示される処理（検出信号のそれぞれに従って実行される処理）の内容をユーザーに報知するために表示する表示手段として、２つのＬＥＤ２０９，２１０が図１のクレードル２の表示手段２０４の一部または全部として図２に示すようにクレードル２の本体の正面に設けられている。ここで検出スイッチ２０７のオンとオフの検出信号のそれぞれにより処理に関してＰＣ情報優先モードとＰＤＡ情報優先モードが指示されるように設定されているものとし、ＬＥＤ２０９の近傍にはＰＣ情報優先モードを示す「ＰＣ」の文字、ＬＥＤ２１０の近傍にはＰＤＡ情報優先モードを示す「ＰＤＡ」の文字が印刷されている。それぞれのモードは、携帯情報端末（ＰＤＡ）１とホストコンピュータ（ＰＣ）３ないしサーバもしくはクライアント（ＰＣ）４との所定データ（例えば電話帳データなど）を同じにする（一方を他方に上書きする）同期処理に関わるモードであり、ＰＣ情報優先モードではＰＣのデータがＰＤＡのデータより古くてもＰＣのデータをＰＤＡのデータに上書きし、ＰＤＡ情報優先モードではＰＤＡのデータがＰＣのデータより古くてもＰＤＡのデータをＰＣのデータに上書きする。
【００２１】
また、クレードル２のＣＰＵ２０１は、携帯情報端末１が装着されたときに、検出スイッチ２０７からの検出信号に応じて図４に示す装着方向認識動作を記憶手段（メモリ）２０３に格納された制御プログラムに従って以下のように行なう。
【００２２】
すなわち、検出スイッチ２０７からの検出信号により検出スイッチ２０７がオンしているか否か判定し（ステップＳ４０１）、オンしていたら、携帯情報端末１の装着方向は図２（ａ）の「裏側が前」の方向であると認識し（Ｓ４０２）、その装着方向を携帯情報端末１とホストコンピュータ３ないしサーバもしくはクライアント５に対して通信手段２０５により通知する。それと同時にコネクタ２１５の属性を合わせるためにコネクタ２１５の極性を反転させると共に、上記オンの検出信号により指示されるＰＣ情報優先モードをユーザーに報知する表示を行なわせるためにＬＥＤ２０９を点灯させる（Ｓ４０４）。
【００２３】
一方、ステップＳ４０１で検出スイッチ２０７がオフしていたら、携帯情報端末１の装着方向は図２（ｂ）の「表側が前」の方向であると認識し（Ｓ４０３）、その装着方向を携帯情報端末１とホストコンピュータ３ないしサーバもしくはクライアント５に通知する。それと同時にコネクタ２１５の属性を合わせるためにコネクタ２１５の極性をデフォルトのものにすると共に、上記オフの検出信号により指示されるＰＤＡ情報優先モードをユーザーに報知する表示を行なわせるためにＬＥＤ２１０を点灯させる（Ｓ４０５）。
【００２４】
このようにクレードル２のＣＰＵ２０１は、携帯情報端末１がクレードル２に装着されたときに検出スイッチ２０７の検出信号により携帯情報端末１の装着方向を認識して携帯情報端末１とホストコンピュータ３ないしサーバもしくはクライアント５に通知する。また、フローチャートに図示していないが、ＣＰＵ２０１は、携帯情報端末１が装着されたときにモード切り替えスイッチ２０６からの入力信号によりメールモード又はオートモードを認識し、それも携帯情報端末１とホストコンピュータ３ないしサーバもしくはクライアント５に通知する。
【００２５】
これに対して、携帯情報端末１とホストコンピュータ３ないしサーバもしくはクライアント５は、携帯情報端末１がクレードル２に装着されたときに、クレードル２から通知される携帯情報端末１の装着方向とメールモード又はオートモードの別に応じて携帯情報端末１とホストコンピュータ３ないしサーバもしくはクライアント５との間で実行すべき処理を切り替えて決定し実行する。ここでは、携帯情報端末１とホストコンピュータ３が互いの間で実行すべき処理を切り替えて決定し実行する動作を図５のフローチャートにより以下に説明する。この動作は、それぞれのＣＰＵ１０１，３０１が記憶手段１０３，３０３のメモリに格納された制御プログラムに従って制御して行なう。携帯情報端末１とサーバもしくはクライアント５の間の動作は基本的には以下と同様として説明を省略する。
【００２６】
携帯情報端末１がクレードル２に差し込まれて装着されると、それをトリガーとして図５の動作が開始される（ステップＳ５０１）。なお、携帯情報端末１が装着されると、直ちに上述のようにクレードル２のＣＰＵ２０１がモード切り替えスイッチ２０６の入力信号によりメールモードまたはオートモードを認識するとともに、検出スイッチ２０７の検出信号により携帯情報端末１の装着方向を認識し、認識したモードと装着方向を携帯情報端末１とホストコンピュータ３に通知する。
【００２７】
携帯情報端末１のＣＰＵ１０１とホストコンピュータ３のＣＰＵ３０３は、まず携帯情報端末１からの通知によりメールモードか或いはオートモードかを判定し（Ｓ５０２）、メールモードのときは携帯情報端末１上で送信待ち電子メールの送信処理を行なう（Ｓ５０３）。
【００２８】
一方、オートモードであった場合は、クレードル２からの通知により携帯情報端末１の装着方向が「裏側が前」の方向か或いは「表側が前」の方向かを判定する（ステップＳ５０４）。
【００２９】
そして、「裏側が前」の装着方向だったら、先述したＰＣ情報優先モードであると認識し、それぞれの表示手段１０４，３０４にＰＣ情報優先モードである旨を表示させる（ステップＳ５０５）。図２（ａ）には、その表示例としてホストコンピュータ３の表示手段（例えばＣＲＴないし液晶ディスプレイ）３０４にＰＣ情報優先モードを略した「ＰＣ　Ｍｏｄｅ」の文字を表示した様子を示してある。
【００３０】
また、「表側が前」の装着方向だったら、先述したＰＤＡ情報優先モードであると認識し、それぞれの表示手段１０４，３０４にＰＣ情報優先モードである旨を表示させる（ステップＳ５０６）。図２（ｂ）には、その表示例として携帯情報端末１とホストコンピュータ３のそれぞれの表示手段１０４，３０４にＰＤＡ情報優先モードを略した「ＰＤＡ　Ｍｏｄｅ」の文字を表示した様子を示してある。
【００３１】
次に、ホストコンピュータ３側または携帯情報端末１側からの処理の指示を待ち（ステップＳ５０７）、指示があったら、その指示に従って処理を実行し（ステップＳ５０８）、その後、動作を終了する。ここで指示された処理が同期処理であったら、これまでの制御の流れがステップＳ５０５経由の場合はＰＣ情報優先モードで、ステップＳ５０６経由の場合はＰＤＡ情報優先モードで同期処理を実行する。
【００３２】
なお、上記のオートモードでは、ステップＳ５０７での処理の指示待ちをせずに、ステップＳ５０８で自動的に同期処理をＰＣ情報優先モードまたはＰＤＡ情報優先モードで実行するように設定してもよい。
【００３３】
また、ステップＳ５０３のメール送信処理の終了後にステップＳ５０４に移行するようにしてもよい。
【００３４】
以上のようにして、本実施形態によれば、携帯情報端末１とホストコンピュータ３（ないしサーバもしくはクライアント５）の間で実行すべき処理に関して、クレードル２のモード切り替えスイッチ２０６によりメールモードとオートモードに切り替えることができ、さらにクレードル２に対する携帯情報端末２の装着方向により検出スイッチ２０７を介してＰＣ情報優先モードとＰＤＡ情報優先モードに切り替えることができる。すなわち、クレードル２において上記４種類の処理の切り替えを簡単に行なうことができ、その分、携帯情報端末１やホストコンピュータ３ないしサーバもしくはクライアント５で実行すべき処理の切り替えのための設定を少なくすることができ、情報処理システムの使い勝手が向上する。
【００３５】
ところで、以上の本実施形態の構成では、クレードル２のモード切り替えスイッチ２０６の２種類の入力信号（例えばオン信号とオフ信号）のそれぞれに対してメールモードとオートモードが対応付けられるように設定され、検出スイッチ２０７のオン信号とオフ信号のそれぞれに「裏側が前」の装着方向と「表側が前」の装着方向が対応付けられるように設定されているものとした。これらの設定情報は記憶手段（メモリ）２０３の不揮発性の記憶領域に保持され、ＣＰＵ２０１がスイッチ２０６，２０７の信号によりメールモードとオートモード及び装着方向を認識するために使用される。
【００３６】
また「裏側が前」の装着方向と「表側が前」の装着方向のそれぞれに対してＰＣ情報優先モードとＰＤＡ情報優先モードが対応付けられるように設定されているものとした。この設定情報はホストコンピュータ３ないしサーバもしくはクライアント５の記憶手段３０３ないし５０３の不揮発性の記憶領域に保持され、ＣＰＵ３０１ないし５０１がクレードル２からの装着方向の通知によりＰＣ情報優先モードとＰＤＡ情報優先モードを認識するために使用される。
【００３７】
ここでスイッチ２０６，２０７の各信号に対応付けられる処理の内容（各信号で指示される処理の内容）の設定は、上記の各モードに固定される訳ではなく、携帯情報端末１、クレードル２、ホストコンピュータ３、サーバもしくはクライアント５の入力手段１０２，２０２，３０２，５０２の少なくとも１つの入力により可変に設定され、その設定情報が設定した装置の記憶手段（１０３，２０３，３０３，５０３の少なくとも１つ）に記憶され、他の装置に通知されてその記憶手段に記憶されるものとする。また、その設定情報は、表示手段１０４，２０４，３０４，５０４の少なくとも１つに表示されユーザーが確認できるものとする。このようにして、スイッチ２０６，２０７の各信号で指示される処理の内容を可変に設定することができる。
【００３８】
［第２の実施形態］
次に、本発明の第２の実施形態を図６及び図７により説明する。
【００３９】
図６に示す本実施形態のクレードル２では、差込口２２に携帯情報端末１を差し込んで装着する装着部（クレードル上部）２１がクレードル本体（クレードル下部）２５に対して水平方向の角度を９０度ごとに４つの角度に変更可能に取り付けられるようになっており、その角度を検出し、その検出信号により前述した携帯情報端末１とホストコンピュータ３ないしサーバもしくはクライアント５の間で実行すべき処理が切り替えられる。
【００４０】
このため、装着部２１の下面の中央に回転軸２３、それからずれた位置にダボ２４が突出して形成されており、ダボ２４の下面には接点２４ａが設けられている。また、クレードル本体２５の上面の中央に軸受穴２６が形成され、軸受穴２６から等距離で９０度ずつ異なる位置のそれぞれに４つのダボ穴２７ａ〜２７ｄが形成されており、ダボ穴２７ａ〜２７ｄの底面には不図示の接点が設けられている。
【００４１】
そして、回転軸２３を軸受穴２６に挿入し、ダボ２４をダボ穴２７ａ〜２７ｄのいずれかに挿入することにより、装着部２１がクレードル本体２５に対して水平方向に９０度ずつ異なる４つの角度、すなわち差込口２２に差し込まれた不図示の携帯情報端末１の表示手段１０４を設けた正面が前向き、左向き、後ろ向き、右向きとなる角度のそれぞれに変更可能に取り付けられる。また、ダボ２４の接点２４ａがダボ穴２７ａ〜２７ｄのいずれかの接点と接触することにより４種類の検出信号が発生し、装着部２１のクレードル本体２５に対する角度が検出される。
【００４２】
また、上記の４つの角度のそれぞれに対して携帯情報端末１とホストコンピュータ３ないしサーバもしくはクライアント５との間で実行すべき処理が一例として、ＰＤＡ情報優先での同期、メールの受信、ＰＣ情報優先での同期、メールの送信が対応付けられるように設定されている。
【００４３】
また、クレードル２のＣＰＵ２０１は、携帯情報端末１がクレードル２に装着されたときに、記憶手段２０３に記憶された制御プログラムに従って、図７に制御手順を示す処理の切り替え動作を以下のように行なう。
【００４４】
すなわち、上記ダボ２４の接点２４ａとダボ穴２７ａ〜２７ｄのいずれかの接点との接触による検出信号により、装着部２１のクレードル本体２５に対する角度が上記の携帯情報端末１が右向きとなる角度、左向きとなる角度、前向きとなる角度、或いは後ろ向きとなる角度か判定し（ステップＳ７０１，Ｓ７０３，Ｓ７０５，Ｓ７０７）、それぞれの判定結果に従って実行すべき処理を、右向きの角度ならメールの送信、左向きの角度ならメールの受信、前向きの角度ならＰＤＡ情報優先での同期、後ろ向きの角度ならＰＣ情報優先での同期と認識し、その旨を携帯情報端末１とホストコンピュータ３ないしサーバもしくはクライアント５に通知する（ステップＳ７０２，７０４，７０６，７０８）。この通知に従って、携帯情報端末１とホストコンピュータ３ないしサーバもしくはクライアント５の間でメールの送信、メールの受信、ＰＤＡ情報優先での同期、あるいはＰＣ情報優先での同期の処理が実行される。
【００４５】
また、上記４つの角度の検出信号のいずれも得られないとき、すなわちダボ２４がダボ穴２７ａ〜２７ｄのいずれにも挿入されていないときは、実行すべき処理として該当する処理がないと認識し、その旨を携帯情報端末１とホストコンピュータ３ないしサーバもしくはクライアント５に通知する（ステップＳ７０９）。
【００４６】
なお、本実施形態の以上に説明した以外の部分は、先述した第１の実施形態と共通とする。
【００４７】
以上のような本実施形態によれば、クレードル本体２５に対する装着部２１の角度を４種類に切り替えるという簡単な操作により、携帯情報端末１とホストコンピュータ３ないしサーバもしくはクライアント５の間で実行すべき処理を４種類に切り替えることができ、情報処理システムの使い勝手が向上する。
【００４８】
なお本実施形態の変更例として、図８（ａ），（ｂ）に示すように装着部２１をクレードル本体２５に対して水平方向に連続的に回転可能に取り付け、装着部２１のクレードル本体２５に対する回転角度をエンコーダなどの検出手段により検出し、その検出信号に応じて、実行すべき処理が４種類より多くの種類に切り替えられるようにしてもよい。
【００４９】
【発明の効果】
以上の説明から明らかなように、本発明によれば、携帯情報端末が該端末を装着する携帯情報端末用クレードルを介してホストのコンピュータないしネットワークに接続され、前記携帯情報端末と前記ホストのコンピュータないし前記ネットワークに接続された他のコンピュータとの間で指示された処理が実行される情報処理システムにおいて、クレードルに設けられた信号入力手段により入力される複数種類の入力信号のそれぞれに応じて、前記携帯情報端末と前記コンピュータのいずれかとの間で実行すべき処理が複数種類の内で切り替えて決定されるようにしたので、実行すべき処理の切り替えをクレードルで簡単に行なうことができ、その分、携帯情報端末やホストないし他のコンピュータで実行すべき処理の切り替えのための設定を少なくすることができ、情報処理システムの使い勝手が向上するという優れた効果が得られる。
【図面の簡単な説明】
【図１】本発明の第１の実施形態による情報処理システム全体の構成及び接続関係を示すブロック図である。
【図２】同システムにおいて携帯情報端末をクレードルに対して異なる装着方向で装着した状態及び処理モードの表示状態を示す説明図である。
【図３】（ａ），（ｂ）は携帯情報端末を差し込むクレードルの差込口部分の上面及び縦断面図、（ｃ）は携帯情報端末の下部の正面図である。
【図４】クレードルのＣＰＵが行なう携帯情報端末の装着方向の認識動作のフローチャート図である。
【図５】携帯情報端末とホストコンピュータの間で実行される処理の切り替え動作のフローチャート図である。
【図６】第２の実施形態におけるクレードルの構造を示す斜視図である。
【図７】同クレードルの本体に対する装着部の角度による処理の切り替え動作のフローチャート図である。
【図８】同実施形態のクレードルの変形例を説明する斜視図である。
【符号の説明】
１　携帯情報端末（ＰＤＡ）
２　携帯情報端末用クレードル
３　ホストコンピュータ
４　ネットワーク
５　サーバもしくはクライアント
２１　装着部（クレードル上部）
２４　接点付きのダボ
２５　クレードル本体（クレードル下部）
２７ａ〜２７ｄ　接点付きのダボ穴
１０１，２０１，３０１，５０１　ＣＰＵ
１０２，２０２，３０２，５０２　入力手段
１０３，２０３，３０３，５０３　記憶手段
１０４，２０４，３０４，５０４　表示手段
２０６　モード切り替えスイッチ
２０７　装着方向の検出スイッチ
２０９，２１０　ＬＥＤ
【図１】
2004086641.tif 000003
【図２】
2004086641.tif 000004
【図３】
2004086641.tif 000005
【図４】
2004086641.tif 000006
【図５】
2004086641.tif 000007
【図６】
2004086641.tif 000008
【図７】
2004086641.tif 000009
【図８】
2004086641.tif 000010